(57)【要約】【課題】軽量で、かつ断熱性に優れた耐熱靴を提供することを目的とする。【解決手段】靴底材２と中底３との間に断熱層５を設けた耐熱靴１において、断熱層５を、任意数の合板６とフェルト７を積層して形成する。また、断熱層５を、靴底材２側から中底３側にかけて、合板６、金属被膜シート８、フェルト７、および合板６の順で積層して形成し、これら材料の持つ断熱効果や熱反射効果、および各材料間に形成される空気層の断熱効果で耐熱性を高める。【選択図】図２
2007111290.tif 000002
【特許請求の範囲】
【請求項１】
靴底材と中底との間、または、靴底材内に、断熱層を設けた耐熱靴であって、
前記断熱層を、任意数の合板とフェルトを積層して形成したことを特徴とする耐熱靴。
【請求項２】
前記断熱層を、合板とフェルトに加えて、任意数の金属被膜シートを積層して形成したことを特徴とする請求項１に記載の耐熱靴。
【請求項３】
前記断熱層を、靴底材側から中底側にかけて、合板、金属被膜シート、フェルト、合板の順に積層して形成したことを特徴とする請求項２に記載の耐熱靴。
【請求項４】
前記断熱層を、靴底材側から中底側にかけて、合板、フェルト、金属被膜シート、合板の順に積層して形成したことを特徴とする請求項２に記載の耐熱靴。
【請求項５】
前記断熱層を、靴底材側から中底側にかけて、金属被膜シート、合板、フェルト、合板の順に積層して形成したことを特徴とする請求項２に記載の耐熱靴。
【請求項６】
前記断熱層を、靴底材側から中底側にかけて、金属被膜シート、フェルト、合板の順に積層して形成したことを特徴とする請求項２に記載の耐熱靴。
【請求項７】
前記金属被膜シートは、合成樹脂製フィルムからなる基板層または合成樹脂製繊維からなる基板層の表面に金属薄膜層を形成して構成されたものであることを特徴とする請求項１乃至６のうちいずれか一つに記載の耐熱靴。
【請求項８】
前記合成樹脂は、ポリエチレンテレフタレート、ポリエチレン、ポリプロピレンのうちいずれか一つであることを特徴とする請求項７に記載の耐熱靴。
【請求項９】
前記金属は、アルミニウム、金、銀、銅、チタンのうちいずれか一つであることを特徴とする請求項７又は８に記載の耐熱靴。
【請求項１０】
前記合板およびフェルトの厚さを、それぞれ１ｍｍ〜５ｍｍに設定したことを特徴とする請求項１乃至９のうちいずれか一つに記載の耐熱靴。
【発明の詳細な説明】
【技術分野】
【０００１】
本発明は、靴底材と中底との間、または、靴底材内に断熱層を備え、例えば、舗装工事用の作業靴等として使用することのできる耐熱靴に関するものである。
【背景技術】
【０００２】
耐熱性の作業靴が要求される環境としては、例えば、舗装工事中のアスファルト表面や、製鉄所等の高炉周辺の高熱を発する床面などがあり、これらの環境で使用される作業靴の耐熱性の良否は、靴底表面から足裏までの熱の伝導時間により評価される。
これは、熱が短時間で伝わると必然的に作業効率が悪くなってしまい易く、また、作業効率を優先して無理に長時間作業を行うと、足裏に低温火傷を負ってしまうからである。
【０００３】
特に舗装工事用作業靴は、その靴底に凹凸形状等が形成されていたり、ヒールの高いもので作業を行うとアスファルト表面に靴跡が残り、平滑な舗装面に仕上がらないため、平坦なフラット底にされ、このような平坦なフラット底は、凹凸形状等が形成された靴底に比べ耐熱性が悪い。また、耐熱性を向上させるため靴底全体を厚くすると重くなり、作業疲労度が増してしまう。
従って、作業効率を損なわない最低限の耐熱性を備え、かつ、作業疲労度が増すことのない軽量の耐熱靴が要求される。
【０００４】
つまり、舗装工事中のアスファルトの表面温度は１５０℃〜１８０℃にも達するため、この高熱が作業者の足裏に伝わらなくすることが必要となる。
しかし、単に靴底を厚くして耐熱性を向上させると、前記した如く、靴が重くなり作業者の疲労度が増して連続作業が困難になってくる。
【０００５】
こうしたことから、従来の作業用の耐熱靴１０は、図８に示すように、靴底材２と中底３との間に断熱材１１として合板、フェルト等を単独で設けている。なお、図８では、中底３の上にインソール４が載置されたものを示した。
なお、断熱材１１として、この他に発泡スチロールやウレタンスポンジを使用する場合があるが、これらの材料は素材自体に耐熱性がないため、高温用の断熱材としては不適当である。
【発明の開示】
【発明が解決しようとする課題】
【０００６】
上記した従来の耐熱靴１０は、靴底部分に、断熱材１１として合板、コルクボード、フェルト等などを単独で設けているため、軽量であるといった利点があるものの、断熱性が未だ充分ではないといった問題がある。
【０００７】
そこで本発明の目的とするところは、軽量で、かつ断熱性に優れた耐熱靴を提供することを課題とする。
【課題を解決するための手段】
【０００８】
上記の目的を達成するために、本発明の請求項１に記載の発明は、靴底材（２）と中底（３）との間、または、靴底材（２）内に、断熱層（５）を設けた耐熱靴（１）であって、前記断熱層（５）を、任意数の合板（６）とフェルト（７）を積層して形成したことを特徴とする。この合板（６）とフェルト（７）の数は単数または複数で良く、また、それぞれの積層位置は任意に設定できる。
【０００９】
また、請求項２に記載の発明は、前記断熱層（５）を、合板（６）とフェルト（７）に加えて、任意数の金属被膜シート（８）を積層して形成したことを特徴とする。金属被膜シート（８）の積層位置は、合板（６）とフェルト（７）の中間でも良いし、両者の上側、下側あるいはその両方であっても良い。
【００１０】
また、請求項３に記載の発明は、前記断熱層（５）を、靴底材（２）側から中底（３）側にかけて、合板（６）、金属被膜シート（８）、フェルト（７）、合板（６）の順に積層して形成したことを特徴とする。
【００１１】
また、請求項４に記載の発明は、前記断熱層（５）を、靴底材（２）側から中底（３）側にかけて、合板（６）、フェルト（７）、金属被膜シート（８）、合板（６）の順に積層して形成したことを特徴とする。
【００１２】
また、請求項５に記載の発明は、前記断熱層（５）を、靴底材（２）側から中底（３）側にかけて、金属被膜シート（８）、合板（６）、フェルト（７）、合板（６）の順に積層して形成したことを特徴とする。
【００１３】
また、請求項６に記載の発明は、前記断熱層（５）を、靴底材（２）側から中底（３）側にかけて、金属被膜シート（８）、フェルト（７）、合板（６）の順に積層して形成したことを特徴とする。
【００１４】
また、請求項７に記載の発明は、前記金属被膜シート（８）は、合成樹脂製フィルムからなる基板層または合成樹脂製繊維からなる基板層の表面に金属薄膜層を形成して構成されたものであることを特徴とする。
合成樹脂を形成する材料としては、請求項８に記載の発明のように、ポリエチレンテレフタレート（ポリエステル）、ポリエチレン、ポリプロピレンが好ましく、引張強度や弾性回復力といった機械的強度に優れ、外力によって破損し難いという点から、ポリエチレンテレフタレート（ポリエステル）が最も好ましい。
また、金属薄膜層を形成する金属材としては、請求項９に記載の発明のように、アルミニウム、金、銀、銅、チタンが好ましく、経済性や量産性の点からアルミニウムが最も好ましい。
【００１５】
また、請求項１０に記載の発明は、前記合板（６）およびフェルト（７）の厚さを、それぞれ１ｍｍ〜５ｍｍに設定したことを特徴とする。
【００１６】
なお、請求項１乃至１０に記載の合板（６）には、コルクボード，パルプボード（パルプを圧縮して形成したボード），レザーボード（再生した革を圧縮して形成したボード）も含まれる。
【００１７】
なお、カッコ内の記号は、図面および後述する発明を実施するための最良の形態に記載された対応要素または対応事項を示す。
【発明の効果】
【００１８】
本発明の請求項１に記載の耐熱靴によれば、設けられた断熱層を、任意数の合板とフェルトを積層して形成したので、当該合板とフェルトの間に必然的に空気層が形成される。これにより、合板およびフェルトの持つ断熱効果の他に、当該空気層が持つ断熱効果によって、断熱性を高めることができる。
【００１９】
また、請求項２に記載の耐熱靴によれば、請求項１に記載の発明の作用効果に加えて、断熱層を、合板とフェルトに加えて、金属被膜シートを積層して形成したので、合板、フェルトおよび金属被膜シートの断熱効果により、また、合板、フェルトおよび金属被膜シートのそれぞれの間に形成される空気層の断熱効果により、断熱性を高めることができる。さらに、金属被膜シートには、熱を反射する熱反射効果があるので、それによって断熱性を大幅に高めることができる。
【００２０】
また、請求項３に記載の耐熱靴によれば、断熱層を、靴底材側から中底側にかけて、合板、金属被膜シート、フェルト、合板の順に積層して形成したので、これら四枚の材料の持つ断熱効果と、それらの間に形成される空気層の断熱効果、および金属被膜シートの熱反射効果によって、断熱性をさらに高めることができる。
【００２１】
また、請求項４に記載の耐熱靴によれば、断熱層を、靴底材側から中底側にかけて、合板、フェルト、金属被膜シート、合板の順に積層して形成したので、同様に、これら四枚の材料の持つ断熱効果と、それらの間に形成される空気層の断熱効果、および金属被膜シートの熱反射効果によって、断熱性を高めることができる。
【００２２】
また、請求項５に記載の耐熱靴によれば、断熱層を、靴底材側から中底側にかけて、金属被膜シート、合板、フェルト、合板の順に積層して形成したので、これら四枚の材料の持つ断熱効果と、それらの間に形成される空気層の断熱効果、さらには金属被膜シートの熱反射効果によって、断熱性を高めることができる。
【００２３】
また、請求項６に記載の耐熱靴によれば、断熱層を、靴底側から中底側にかけて、金属被膜シート、フェルト、合板の順に積層して形成したので、これら三枚の材料が発揮する断熱効果と、各材料の間に形成される空気層の断熱効果、および金属被膜シートの熱反射効果によって、断熱性を高めることができる。
【００２４】
また、請求項７に記載の耐熱靴によれば、請求項１乃至６に記載の発明の作用効果に加えて、金属被膜シートが、合成樹脂製フィルムからなる基板層または合成樹脂製繊維からなる基板層の表面に金属薄膜層を形成して構成されているので、高い断熱効果を発揮しつつ、断熱層および耐熱靴全体の軽量化を図ることができる。
【００２５】
また、請求項１０に記載の耐熱靴によれば、請求項１乃至９に記載の発明の作用効果に加えて、合板およびフェルトの厚さを、それぞれ１ｍｍ〜５ｍｍに設定したので、断熱層および耐熱靴全体の軽量化を図ることができる。
この断熱層と従来例に係る耐熱靴の断熱材の厚さはほぼ等しいが、本発明の断熱層は複数の材料を積層して形成し、各材料間に空気層を形成するので断熱効果が高い。
【発明を実施するための最良の形態】
【００２６】
図１および図２を参照して、本発明の第一実施形態に係る耐熱靴１について説明する。図１は、耐熱靴１を示す要部断面側面図であり、図２は、図１のＡ−Ａ線拡大断面図である。従来例で示したものと同一部分には同一符号を付した。
【００２７】
この耐熱靴１は、道路のアスファルト舗装工事や製鉄所などの路面や床面が高熱な場所で作業を行う際に装着するものであり、靴本体の底部に靴底材２を固着し、当該靴底材２と中底３との間に断熱層５を設け、中底３の上にインソール４を載置している。
そして、断熱層５を、靴底材２側から中底３側にかけて、合板６、フェルト７、合板６の順で積層して構成している。
【００２８】
この耐熱靴１によれば、二枚の合板６とフェルト７の間に二つの空気層が形成されるので、合板６およびフェルト７の持つ断熱効果の他に、当該空気層が持つ断熱効果によって、断熱性を高めることができる。なお、合板６やフェルト７は、内部に空気層を形成するので高い断熱効果を発揮する。
【００２９】
次に、本発明の第二実施形態に係る耐熱靴１を、図１および図３に示す。図３は、本発明の第二実施形態に係る図１のＡ−Ａ線拡大断面図である。
この耐熱靴１は、断熱層５を、靴底材２側から中底３側にかけて、合板６、金属被膜シート８、フェルト７、合板６の順で積層して形成したことを特徴としている。
【００３０】
こうした構成の耐熱靴１は、二枚の合板６、金属被膜シート８、フェルト７の断熱効果、および各材料間に形成される空気層の断熱効果によって高い断熱性を発揮する。また、金属被膜シート８が熱を反射する熱反射効果を発揮するので、それによって大幅に断熱効果を高めることができる。
【００３１】
本発明の第三実施形態に係る耐熱靴１を、図１および図４に示す。図４は、本発明の第三実施形態に係る図１のＡ−Ａ線拡大断面図である。
この耐熱靴１は、断熱層５を、靴底材２側から中底３側にかけて、合板６、フェルト７、金属被膜シート８、合板６の順で積層して形成したことを特徴としている。
【００３２】
当該耐熱靴１は、これら四枚の材料の持つ断熱効果と、それらの間に形成される空気層の断熱効果、および、金属被膜シート８の持つ熱反射効果によって、高い断熱性を発揮することができる。
【００３３】
本発明の第四実施形態に係る耐熱靴１を、図１および図５に示す。図５は、本発明の第四実施形態に係る図１のＡ−Ａ線拡大断面図である。
この耐熱靴１は、その断熱層５を、靴底材２側から中底３側にかけて、金属被膜シート８、合板６、フェルト７、合板６の順で積層して形成したことを特徴としている。
【００３４】
この耐熱靴１は、これら四枚の材料の持つ断熱効果と、それらの間に形成される空気層の断熱効果によって、高い断熱性を発揮する。また、金属被膜シート８の熱反射効果によって、断熱性を大幅に高めることができる。
【００３５】
本発明の第五実施形態に係る耐熱靴１を、図１および図６に示す。図６は、本発明の第五実施形態に係る図１のＡ−Ａ線拡大断面図である。
この耐熱靴１は、断熱層５を、靴底側から中底３側にかけて、金属被膜シート８、フェルト７、合板６の順で積層して形成したことを特徴としており、これら三枚の材料が発揮する断熱効果と、各材料の間に形成される空気層の断熱効果の両方によって、断熱性を高めることができている。また、金属被膜シート８の持つ熱反射効果によっても、高い断熱性を発揮する。
【００３６】
なお、上記第一乃至第五実施形態に係る耐熱靴１は、全て、断熱層５の上に中底３を設け、さらにその上にインソール４を設けている。これらを設けることによって、断熱効果をさらに高めることができる。なお、インソール４を設けなくても良い。
【００３７】
また、第二乃至第五実施形態に係る耐熱靴１においては、金属被膜シート８を、ＰＥＴ（ポリエチレンテレフタレート）製のフィルムにアルミニウムを蒸着したアルミ蒸着ＰＥＴフィルムとしている。ＰＥＴは引張強度や弾性回復力といった機械的強度に優れているので外力によって破損し難く、よって、断熱層５を形成する材料として優れた効果を長期にわたって発揮する。
なお、ＰＥＴ（ポリエチレンテレフタレート）製のフィルムに代えて、ポリエチレンやポリプロピレン製のフィルムを使用することもできる。
また、蒸着させる金属は、アルミニウムに限られることなく、金、銀、銅、チタンでもよいが、経済性や量産性の点からアルミニウムが最も好ましい。
またここでいう合板６は、コルクボード，パルプボード（パルプを圧縮して形成したボード），レザーボード（再生した革を圧縮して形成したボード）も含まれる。
【００３８】
さらに、これらの耐熱靴１は、全て、当該耐熱靴１を装着して作業する作業者の疲労度を軽減するために、合板６およびフェルト７の厚さを１ｍｍ〜５ｍｍに設定して断熱層５の軽量化を図り、耐熱靴１全体の重量（一足の重量）を１５００ｇ以下としている。
また、金属被膜シート８は、図７に示すような構成とし、基板層８ａの厚さを５μｍ〜１００μｍとし、金属薄膜層８ｂの厚さを０．２μｍ〜１０μｍに設定している。また、同様な理由で、靴底材２の底面を、平坦なフラットソールとしている。
なお、断熱層５を形成する材料は３枚〜６枚が好ましい。材料の枚数が多ければ断熱効果は向上するが、それだけ重量が大きくなり、作業性の点で好ましくないからである。
【００３９】
本発明者らは、本考案の第一乃至第五実施形態に係る耐熱靴１の断熱効果を確認すべく実験を行った。この実験では、従来例に係る耐熱靴１および本実施形態に係る耐熱靴１をそれぞれ１５０℃の床面に置いて、中底３の上面温度が４０℃に達するまでの熱伝導時間を測定した。
【００４０】
その結果、従来例に係る耐熱靴１０の熱伝導時間は５分であったのに対し、本発明の第一実施形態に係る耐熱靴１は７分、第二実施形態の耐熱靴１は１２分、第三実施形態のものは９分、第四実施形態のものは８分、そして第五実施形態のものは７分であり、いずれも従来例の耐熱靴１０より熱伝導時間が長かった。このうち、第二実施形態の耐熱靴１は１２分と際だって長く、特に断熱効果に優れることを確認できた。
【産業上の利用可能性】
【００４１】
本発明に係る耐熱靴１は、アスファルト舗装工事や製鉄所などの他に、造船所等の鉄板上の溶接作業といった高温床面での作業や、冷凍倉庫等の低温床面などでの作業に使用することができる。また、スキーやスケートなどのスポーツやレジャー用の靴としても使用することができる。
【図面の簡単な説明】
【００４２】
【図１】本発明の第一乃至第五実施形態に係る耐熱靴を示す要部断面側面図である。
【図２】本発明の第一実施形態に係る耐熱靴の断熱層を示す拡大断面図である。
【図３】本発明の第二実施形態に係る耐熱靴の断熱層を示す拡大断面図である。
【図４】本発明の第三実施形態に係る耐熱靴の断熱層を示す拡大断面図である。
【図５】本発明の第四実施形態に係る耐熱靴の断熱層を示す拡大断面図である。
【図６】本発明の第五実施形態に係る耐熱靴の断熱層を示す拡大断面図である。
【図７】本発明の第二乃至第五実施形態に係る耐熱靴の金属被膜シートの構成を示す拡大断面図である。
【図８】従来例に係る耐熱靴を示す要部断面側面図である。
【符号の説明】
【００４３】
１      耐熱靴
２      靴底材
３      中底
４      インソール
５      断熱層
６      合板
７      フェルト
８      金属被膜シート
８ａ    基板層
８ｂ    金属薄膜層
１０      耐熱靴
１１      断熱材
【図１】
2007111290.tif 000003
【図２】
2007111290.tif 000004
【図３】
2007111290.tif 000005
【図４】
2007111290.tif 000006
【図５】
2007111290.tif 000007
【図６】
2007111290.tif 000008
【図７】
2007111290.tif 000009
【図８】
2007111290.tif 000010